(57)【要約】【課題】ＩＭＴ２０００方式とＰＤＣ方式とによるデュアルモードで通信を行うための通信制御装置、通信制御方法、及び通信制御プログラムを提供する。【解決手段】ＩＭＴ２０００及びＰＤＣが同期せずに別々に電波を受信する場合、制御部２５は、ＩＭＴ２０００によって電波を受信するタイミング及びＰＤＣによって電波を受信するタイミングを計測する。そして、ＩＭＴ２０００及びＰＤＣそれぞれが電波を受信するタイミングのときに、ＰＤＣ部２３又はＩＭＴ２０００部２４をＯＮする。よって、電波を受信するタイミング以外の間は、ＰＤＣ部２３及びＩＭＴ２０００部２４はＯＦＦされるため、待受状態においてＰＤＣ部２３及びＩＭＴ２０００部２４において消費される電力を節約することができる。【選択図】図１
2007228288.tif 000002
【特許請求の範囲】
【請求項１】
使用周波数帯域の異なる複数の通信部を有する通信装置を制御する通信制御装置であって、
使用周波数帯域の通信信号を受信しないとき、前記各通信部の機能を停止する停止手段を有することを特徴とする通信制御装置。
【請求項２】
前記停止手段は、使用周波数帯域の前記通信信号を受信するタイミングチャートに基づいて、前記各通信部の機能を停止することを特徴とする請求項１記載の通信制御装置。
【請求項３】
前記停止手段は、前記各通信部への電源供給を停止することを特徴とする請求項１又は２記載の通信制御装置。
【請求項４】
前記タイミングチャートに基づいて前記各通信部の次の受信までの時間を算出する算出手段と、
前記算出手段によって算出された時間が最も短い通信部の使用周波数帯域で前記通信信号を合成するデュプレクサと、
次の受信までの時間をカウントするカウント手段と、
前記カウント手段によってカウントされた時間がタイムアウトしたとき、該通信部の機能を起動させる起動手段とを有することを特徴とする請求項２又は３記載の通信制御装置。
【請求項５】
前記各通信部の前記通信信号を受信するタイミングが同期したとき、予め設定された使用周波数帯域の前記通信信号を優先して受信することを特徴とする請求項１から４のいずれか１項記載の通信制御装置。
【請求項６】
使用周波数帯域の異なる複数の通信部を有する通信装置を制御する通信制御装置の通信制御方法であって、
使用周波数帯域の通信信号を受信しないとき、前記各通信部の機能を停止する停止工程を有することを特徴とする通信制御方法。
【請求項７】
前記停止工程は、使用周波数帯域の前記通信信号を受信するタイミングチャートに基づいて、前記各通信部の機能を停止する工程を有することを特徴とする請求項６記載の通信制御方法。
【請求項８】
前記通信制御装置は、前記通信信号を合成するデュプレクサを有し、
前記タイミングチャートに基づいて前記各通信部の次の受信までの時間を算出する算出工程と、
前記算出工程によって算出された時間が最も短い通信部の使用周波数帯域による前記通信信号の合成を設定する設定工程と、
次の受信までの時間をカウントするカウント工程と、
前記カウント工程によってカウントされた時間がタイムアウトしたとき、該通信部の機能を起動させる起動工程とを有することを特徴とする請求項７記載の通信制御方法。
【請求項９】
使用周波数帯域の異なる複数の通信部を有する通信装置を制御する通信制御装置の通信制御プログラムであって、
使用周波数帯域の通信信号を受信しないとき、前記各通信部の機能を停止する停止処理を有することを特徴とする通信制御プログラム。
【請求項１０】
前記停止処理は、使用周波数帯域の前記通信信号を受信するタイミングチャートに基づいて、前記各通信部の機能を停止する処理を有することを特徴とする請求項９記載の通信制御プログラム。
【請求項１１】
前記通信制御装置は、前記通信信号を合成するデュプレクサを有し、
前記タイミングチャートに基づいて前記各通信部の次の受信までの時間を算出する算出処理と、
前記算出処理によって算出された時間が最も短い通信部の使用周波数帯域による前記通信信号の合成を設定する設定処理と、
次の受信までの時間をカウントするカウント処理と、
前記カウント処理によってカウントされた時間がタイムアウトしたとき、該通信部の機能を起動させる起動処理とを有することを特徴とする請求項１０記載の通信制御プログラム。
【発明の詳細な説明】
【技術分野】
【０００１】
本発明は、通信制御装置、通信制御方法、及び通信制御プログラムに関し、特にＩＭＴ２０００（International Mobile Telecommunications 2000）方式とＰＤＣ（Personal Digital Cellular）方式とによるデュアルモードで通信を行うための通信制御装置、通信制御方法、及び通信制御プログラムに関する。
【背景技術】
【０００２】
移動体通信の分野においては移動体通信を実現することができるＰＨＳシステムが実用化されている。また、近年では、高速通信が可能なＩＭＴ２０００と呼ばれる移動体通信方式が脚光を浴びている。さらに、一つの基地局を中心とする通信可能距離(セル半径)が０．５〜２０ＫｍとＰＨＳと比べてかなり大きく、利用者は高速移動中も通信ができるＰＤＣ（Personal Digital Cellular）が実用化されている。ＰＤＣは、音声信号の伝送速度が５．６ｋｂｐｓ(ハーフ・レート)または１１．２ｋｂｐｓ(フル・レート)で、ＰＨＳと比較して低く、音声品質は劣る。なお、データ通信に使える伝送速度は９．６ｋｂｐｓである。
【０００３】
ここで、複数の通信を同時に行うことができるデュアルモードの通信端末としては、既にＰＤＣとＰＨＳとのデュアルモード通信を可能とする通信端末（以下、デュアルモード通信端末とする）が実用化されている。この際、ＰＤＣにおいては８００ＭＨｚ帯の電波が使用される。デュアルモード通信端末においてはＰＤＣ側からの着信、ＰＨＳ側からの着信両方に対応できるように両方の電波を同時に受信可能に待受けすることができる。
【０００４】
特許文献１では、無線ネットワークに接続可能な無線端末装置であって、無線信号の着信を待機し、着信した信号を受信し、受信したパケットから、そのパケットの保持する時間情報およびパケット構成情報を獲得し、獲得したパケットが当該無線端末装置宛ではない場合、時間情報およびパケット構成情報から算出される期間、当該無線端末装置の少なくとも一部の機能を停止することにより、不必要な受信動作を抑制し、無線受信モジュールの電力消費を削減することができる無線端末装置およびその制御方法が提案されている。
【０００５】
特許文献２では、近接した周波数帯域を使用した複数の通信方式により送受信を行うデュアルモード通信において、一方の通信方式で送信するときに他方の通信方式の通信部への信号入力を遮断することにより、送信信号が他方の通信部へ分岐されることによる信号損失を抑制し、かつ送信信号が他方の通信部の動作に影響を与えることを防止することができる通信制御方法及び通信装置が提案されている。
【０００６】
特許文献３では、複数のチャンネルが用意されている通信環境下において、制御局を配置せずに複数の無線通信装置によりアドホック通信に基づくネットワークを形成し、各通信局は、複数のチャンネルの中から自己のビーコン送信チャンネルを所定の時間間隔で順次切り替えながら所定のビーコン周期でビーコンを送信することにより、通信局同士が干渉し合うことなく適当なアドホック・ネットワークを好適に形成することができる無線通信システム、無線通信装置及び無線通信方法、並びにコンピュータ・プログラムが提案されている。
【特許文献１】特開２００４−０４０３７３号公報
【特許文献２】特開２００４−１８６７１３号公報
【特許文献３】特開２００５−０７９９８５号公報
【発明の開示】
【発明が解決しようとする課題】
【０００７】
しかし、上記の発明は以下の問題を有している。
【０００８】
従来のデュアルモード通信端末において、複数の通信方式により電波を同時に待受ける場合、受信した電波を処理する各通信方式の通信部すべてに電力を供給しなければならない。
【０００９】
そこで、本発明は、電波を受信するタイミング以外の間は、受信した電波を処理する各通信部への電力の供給を停止することにより、待受状態において通信部において消費される電力を節約することができる通信制御装置、通信制御方法、及び通信制御プログラムを提案することを目的としている。
【課題を解決するための手段】
【００１０】
請求項１記載の発明は、使用周波数帯域の異なる複数の通信部を有する通信装置を制御する通信制御装置であって、使用周波数帯域の通信信号を受信しないとき、前記各通信部の機能を停止する停止手段を有することを特徴とする。
【００１１】
請求項２記載の発明は、請求項１記載の通信制御装置において、前記停止手段は、使用周波数帯域の前記通信信号を受信するタイミングチャートに基づいて、前記各通信部の機能を停止することを特徴とする。
【００１２】
請求項３記載の発明は、請求項１又は２記載の通信制御装置において、前記停止手段は、前記各通信部への電源供給を停止することを特徴とする。
【００１３】
請求項４記載の発明は、請求項２又は３記載の通信制御装置において、前記タイミングチャートに基づいて前記各通信部の次の受信までの時間を算出する算出手段と、前記算出手段によって算出された時間が最も短い通信部の使用周波数帯域で前記通信信号を合成するデュプレクサと、次の受信までの時間をカウントするカウント手段と、前記カウント手段によってカウントされた時間がタイムアウトしたとき、該通信部の機能を起動させる起動手段とを有することを特徴とする。
【００１４】
請求項５記載の発明は、請求項１から４のいずれか１項記載の通信制御装置において、前記各通信部の前記通信信号を受信するタイミングが同期したとき、予め設定された使用周波数帯域の前記通信信号を優先して受信することを特徴とする。
【００１５】
請求項６記載の発明は、使用周波数帯域の異なる複数の通信部を有する通信装置を制御する通信制御装置の通信制御方法であって、使用周波数帯域の通信信号を受信しないとき、前記各通信部の機能を停止する停止工程を有することを特徴とする。
【００１６】
請求項７記載の発明は、請求項６記載の通信制御方法において、前記停止工程は、使用周波数帯域の前記通信信号を受信するタイミングチャートに基づいて、前記各通信部の機能を停止する工程を有することを特徴とする。
【００１７】
請求項８記載の発明は、請求項７記載の通信制御方法において、前記通信制御装置は、前記通信信号を合成するデュプレクサを有し、前記タイミングチャートに基づいて前記各通信部の次の受信までの時間を算出する算出工程と、前記算出工程によって算出された時間が最も短い通信部の使用周波数帯域による前記通信信号の合成を設定する設定工程と、次の受信までの時間をカウントするカウント工程と、前記カウント工程によってカウントされた時間がタイムアウトしたとき、該通信部の機能を起動させる起動工程とを有することを特徴とする。
【００１８】
請求項９記載の発明は、使用周波数帯域の異なる複数の通信部を有する通信装置を制御する通信制御装置の通信制御プログラムであって、使用周波数帯域の通信信号を受信しないとき、前記各通信部の機能を停止する停止処理を有することを特徴とする。
【００１９】
請求項１０記載の発明は、請求項９記載の通信制御プログラムにおいて、前記停止処理は、使用周波数帯域の前記通信信号を受信するタイミングチャートに基づいて、前記各通信部の機能を停止する処理を有することを特徴とする。
【００２０】
請求項１１記載の発明は、請求項１０記載の通信制御プログラムにおいて、前記通信制御装置は、前記通信信号を合成するデュプレクサを有し、前記タイミングチャートに基づいて前記各通信部の次の受信までの時間を算出する算出処理と、前記算出処理によって算出された時間が最も短い通信部の使用周波数帯域による前記通信信号の合成を設定する設定処理と、次の受信までの時間をカウントするカウント処理と、前記カウント処理によってカウントされた時間がタイムアウトしたとき、該通信部の機能を起動させる起動処理とを有することを特徴とする。
【発明の効果】
【００２１】
本発明は、電波を受信するタイミング以外の間は、受信した電波を処理する各通信部（ＰＤＣ部又はＩＭＴ２０００部）への電力の供給を停止することにより、待受状態においてＰＤＣ部及びＩＭＴ２０００部において消費される電力を節約することができる。
【発明を実施するための最良の形態】
【００２２】
以下、本発明の一実施形態に係わる通信制御装置の構成及び動作について説明する。
【００２３】
図１は、本実施形態に係わる通信制御装置の構成を示すブロック図である。本実施形態に係わる通信制御装置は、アンテナ２１、デュプレクサ２２、ＰＤＣ部２３、ＩＭＴ２０００部２４、及び制御・ＨＭＩ部２５を有して構成される。ＰＤＣ部２３は、受信部２３１及び送信部２３２を有し、ＩＭＴ２０００部２４は、受信部２４１及び送信部２４２を有する。
【００２４】
図１において、アンテナ２１から受信された信号はデュプレクサ２２によって８００ＭＨｚ帯の信号と、無線周波数は１．８８５〜２．２ＧＨｚ帯の信号とに分離される。８００ＭＨｚ帯の信号はＰＤＣ２３内の受信部２３１に入力され、１．８８５〜２．２ＧＨｚ帯の信号はＩＭＴ２０００部２４の受信部２４１に入力される。
【００２５】
制御部２５は、ＰＤＣ及びＩＭＴ２０００の送受信を制御する。具体的には、制御部２５は、次の受信処理までの時間に基づいて受信する周波数帯をデュプレクサ２２に設定しておき、デュプレクサ２２は設定された周波数帯に基づいてＰＤＣ又はＩＭＴ２０００による電波の受信処理を実行する。また、ＰＤＣ通信時にはＰＤＣ部２３の送信部２３２から８００ＭＨｚ帯の信号が送信され、デュプレクサ２２を通しアンテナ２１から電波が送信される。また、ＩＭＴ２０００通信時にはＩＭＴ２０００部２４の送信部２４２から１．８８５〜２．２ＧＨｚ帯の信号が送信され、デュプレクサ２２を通してアンテナ２１から電波が送信される。
【００２６】
デュアルモード通信端末は、複数の通信方式によるデータの送受信が可能だが、ハードウェアは１つであるため、複数の通信方式において同時に着信があった場合、いずれか１つしか受信することができない。例えば、図２に示すタイミングチャートにおいて、ＰＤＣ及びＩＭＴ２０００両方の電波を受信可能に同時に待受けていた場合、（３）に示すタイミングにおいてＰＤＣ及びＩＭＴ２０００の電波を受信するタイミングが重なり、ＰＤＣ及びＩＭＴ２０００のいずれか１つの電波しか受信することができない。そこで、本実施形態に係わる通信制御装置は、受信タイミングが重なり、ＰＤＣ及びＩＭＴ２０００から同時に電波を受信した場合、ＩＭＴ２０００及びＰＤＣのいずれか１つの通信方式を優先的に処理する。なお、本実施形態においては、ＩＭＴ２０００の電波を優先的に処理するものとするが、その優先順位はユーザが制御・ＨＭＩ部２５から任意に設定できる。
【００２７】
また、ＩＭＴ２０００及びＰＤＣが同期せずに別々に電波を受信する場合、制御部２５は図２に示すタイミングチャートに基づき、ＩＭＴ２０００によって電波を受信するタイミング及びＰＤＣによって電波を受信するタイミングを計測する。そして、ＩＭＴ２０００及びＰＤＣそれぞれが電波を受信するタイミングのときに、ＰＤＣ部２３又はＩＭＴ２０００部２４をＯＮする。よって、電波を受信するタイミング以外の間は、ＰＤＣ部２３及びＩＭＴ２０００部２４はＯＦＦされるため、待受状態においてＰＤＣ部２３及びＩＭＴ２０００部２４において消費される電力を節約することができる。
【００２８】
次に、本実施形態に係わる通信制御装置における複数の通信方式による電波の受信動作について図３に示すフローチャートを用いて説明する。なお、各通信方式による電波の受信のタイミングは、図２に示すように、同期していないものとする。
【００２９】
デュアルモードによるＰＤＣ又はＩＭＴ２０００による電波の待受けが開始されると（ステップＳ３０１）、制御部２５は予め設定された各通信方式による電波の受信を制御するタイミングチャートに基づき、各通信方式の次の受信までの時間を計測する（ステップＳ３０２、ステップＳ３０３）。各通信方式の次に受信までの時間が計測されると、ＰＤＣ及びＩＭＴ２０００による次の受信までの時間が同じか否かを判断する（ステップＳ３０４）。
【００３０】
ＰＤＣ及びＩＭＴ２０００による次の受信処理までの時間が同一であった場合は（ステップＳ３０４／ＹＥＳ）、制御部２５はデュプレクサ２２にＩＭＴ２０００方式の周波数帯による電波の受信をデュプレクサ２２に設定する（ステップＳ３０６）。一方、ＰＤＣ及びＩＭＴ２０００による次の受信処理までの時間が異なった場合は（ステップＳ３０４／ＮＯ）、ＩＭＴ２０００による次の受信までの時間がＰＤＣによる次の受信までの時間より短いか否かを判断する（ステップＳ３０５）。
【００３１】
そして、ＩＭＴ２０００による次の受信までの時間がＰＤＣによる次の受信までの時間よりも短かった場合は（ステップＳ３０５／ＹＥＳ）、制御部２５はデュプレクサ２２にＩＭＴ２０００方式の周波数帯による電波の受信をデュプレクサ２２に設定する（ステップＳ３０６）。一方、ＩＭＴ２０００による次の受信までの時間がＰＤＣによる次の受信までの時間よりも長かった場合は（ステップＳ３０５／ＮＯ）、制御部２５はデュプレクサ２２にＰＤＣ方式の周波数帯による電波の受信をデュプレクサ２２に設定する（ステップＳ３０７）。
【００３２】
デュプレクサ２２に次の受信処理における周波数帯が設定されると（ステップＳ３０６、ステップＳ３０７）、デュプレクサ２２に設定された周波数帯に対応する通信方式の次の受信までの時間のカウントアップを開始し、同時にＰＤＣ部２３及びＩＭＴ２０００部２４への電力の供給を停止する（ステップＳ３０８）。
【００３３】
次の受信までの時間のカウントアップが終了すると（ステップＳ３０９／ＹＥＳ）、デュプレクサ２２はステップＳ３０６又はステップＳ３０７において設定された周波数帯における電波の受信を実行する（ステップＳ３１０）。それと同時に、制御部２５はデュプレクサ２２に設定した周波数帯に対応する通信部（ＰＤＣ部２３又はＩＭＴ２０００部２４）への電力の供給を開始する。なお、ＰＤＣ部２３又はＩＭＴ２０００部２４による電波の受信処理が完了すると、再びステップＳ３０１からの動作を繰り返す。
【００３４】
上述の構成によれば、ＩＭＴ２０００及びＰＤＣの受信信号を同時に待受けでき、かつＩＭＴ２０００及びＰＤＣによる電波の受信を同時に待受けしても、それぞれに受信タイミング以外は各通信方式による電波を処理する通信部をＯＦＦすることにより、消費電力も抑えることができる。なお、ここでは、ＩＭＴ２０００及びＰＤＣによるデュアルモード通信端末の受信動作について説明したが、これに限定されるものではなく、本発明は他の通信方式によるデュアルモード通信端末においても適用可能である。
【図面の簡単な説明】
【００３５】
【図１】本実施形態に係わる通信制御装置のシステム構成を示すブロック図である。
【図２】本実施形態に係わる通信制御装置の各通信方式による受信処理のタイミングチャートである。
【図３】本実施形態に係わる通信制御装置の受信動作を示すフローチャートである。
【符号の説明】
【００３６】
２１    アンテナ
２２    デュプレクサ
２３    ＰＤＣ部
２４    ＩＭＴ２０００
２５    制御・ＨＭＩ部
２３１、２４１    受信部
２３２、２４２    送信部
【図１】
2007228288.tif 000003
【図２】
2007228288.tif 000004
【図３】
2007228288.tif 000005